(57)【要約】      （修正有）【課題】混雑時に於いても、認証許可された通行者が円滑に通行できる双方向の自動改札装置を提供する。【解決手段】双方向に通行が可能な進入路と左右に進入路を閉鎖するためのゲート板、及び通行者の認証システムを備えた自動改札装置において、進入路の開放時には一方のゲート板が進入方向と同じ側に、他方のゲート板は進入方向と反対側に開き、また認証不許可の場合には通行者に対向する側のゲートのみを閉じて進入路を閉鎖し、他方のゲート板は開いた状態にあることを特徴とする。【選択図】図４
0003150814.tif 000002
【実用新案登録請求の範囲】
【請求項１】
双方向に通行が可能な進入路と左右に進入路を閉鎖するためのゲート板、及び通行者の認証システムを備えた自動改札装置において、進入路の開放時には一方のゲート板が進入方向と同じ側に、他方のゲート板は進入方向と反対側に開き、また認証不許可の場合には通行者に対向する側のゲートのみを閉じて進入路を閉鎖し、他方のゲート板は開いた状態にあることを特徴とする自動改札装置。
【考案の詳細な説明】
【技術分野】
【０００１】  本考案は、通行者の所持する磁気カードや、非接触カード等の情報を識別する為の認証システムを備え、通行時の認証照合による識別から、進入路の左右に設けたゲート板を各々単独で開閉させ、双方向の通行を円滑に進めるための自動改札装置に関する。
【背景技術】
【０００２】  従来、自動改札装置は、通行者の所持する磁気カードや、非接触カード等の認証媒体を、自動改札装置の所定位置に設けられたカードリーダ等の認証機器にかざす等の認証照合で行ない、読取った情報の識別から通行の可否を判定しゲート板を開閉するシステムで構成されている。前記ゲート板は進入路の左右に対称で設けられ、中央部に向かって回転やスライド方式により通行者を阻止する状態で常時閉じられ、認証照合の識別により適正の場合には一対で作動する左右のゲート板を開放し通行を許可する。以上の構成による自動改札装置は、下記特許文献１で提案されている。【０００３】  以下、図１により従来提案されている自動化札装置１ついて説明する。進入路５を形成する右装置壁２及び左装置壁３の各々に支点軸４で回動する右ゲート板６及び左ゲート板７を設け、通行者８に対し通行許可の場合には常時進入路５を閉鎖している右ゲート板６及び左ゲート板７を右装置壁２及び左装置壁３に収納して進入路５を開放する。通行者８に対し通行不許可の場合には右ゲート板６及び左ゲート板７が支点軸４を中心に回動し、進入路５を閉鎖する。通行者のいない待機時にはこの状態を保持している。また双方向に通行が可能な自動改札装置では、逆進入路５ａから進入する通行者に対しても右ゲート板６及び左ゲート板７は一定の方向に回動し進入路を開閉する。
【先行技術文献】
【特許文献】
【０００４】
【特許文献１】特許公開平８−２４１４４５号公報（図１）
【考案の概要】
【考案が解決しようとする課題】
【０００５】  現在、自動改札機の多くは上記の特許文献１で提案されている、待機時には左右一対のゲート板が進入路を閉鎖し、通行者の認証が適正と識別された場合に左右のゲート板を開放し、通行後に再度ゲート板を閉鎖して待機状態に戻す方式が一般的である。その為、通勤時や、出退勤時などの混雑時に於いてゲート板の開放・閉鎖の動作に要する時間が円滑な通行の妨げとなり混雑に拍車を掛けてしまう。【０００６】  また、双方向の進入が可能な自動改札装置に於いては、前記ゲート板の開閉動作に加え、双方向の通行処理として先に認証を行った通行者の進入に対して、反対側から進入する通行者に、進入不可を知らせる等の処置をしなくては成らない。この進入不可の処置に要する時間が更なる通行の妨げとなり混雑の原因となる。これらを解決するため特許文献１の自動改札装置が提案されており、先に通路に進入をした通行者を上位に検知して反対側から進入してくる通行者を一旦ゲート板の閉鎖動作を行なう事で阻止すると供に、進入禁止の注意を促すランプ表示をさせ混雑の解消を無くすものである。しかしながら、通行の前に必ず１度は、ゲート板の閉鎖動作が入る事から、やはり円滑な通行の妨げになってしまい混雑の解消には不十分である。【０００７】  そこで本考案は、混雑時に於いても、認証許可された通行者が円滑に通行できる双方向の自動改札装置を提供することを課題とする。
【課題を解決するための手段】
【０００８】  双方向に通行が可能な進入路と左右に進入路を閉鎖するためのゲート板、及び通行者の認証システムを備えた自動改札装置において、進入路の開放時には一方のゲート板が進入方向と同じ側に、他方のゲート板は進入方向と反対側に開き、また認証不許可の場合には通行者に対向する側のゲートのみを閉じて進入路を閉鎖し、他方のゲート板は開いた状態にあることを特徴とする。
【考案の効果】
【０００９】  本考案は、次のような効果が得られる。本考案による双方向に通行が可能な自動改札装置は、待機時にはゲート板を常時開放状態として認証不可の通行者あるいは機器異常の場合にはゲート板を閉鎖し、認証許可された通行者においてはゲートの開放・閉鎖動作がないため通行者の一時的なゲート手前の立止りも無く、通行の妨げを解消し円滑な通行ができる。【００１０】  また、認証不可の通行者には進入に対応する側のゲート板が通行者の前方で対向する向きで閉鎖して通行を阻止し、他側のゲート板は認証許可された通行者には開放状態のため対向する通行者は円滑な通行が出来る。
【図面の簡単な説明】
【００１１】
【図１】従来の自動改札装置の概要図
【図２】本考案の自動改札装置の概要図
【図３】本考案の自動改札装置の上面概要図
【図４】本考案の自動改札装置の進入路の閉鎖状態を示した上面概要図
【図５】本考案の自動改札装置の逆進入路からの閉鎖状態を示した上面概要図
【図６】本考案の自動改札装置の動作を示したフローチャート図
【考案を実施するための形態】
【００１２】  本考案は、図２から図５に示す様に所定幅の進入路５を、左装置壁９および右装置壁１０で形成し、進入側に通行者の認証カード等を提示して読み取る認証機器１１を設け、通常の待機時には常に左ゲート板１３及び、右ゲート板１２が相対する向きで、進入路に平行に左装置壁９及び右装置壁１０に収めた状態で待機している。これは双方向のどちらから進入して来た通行者が認証不可の場合、通行者に対して左ゲート板１３及び、右ゲート板１２の内、前方から対向する側のゲート板のみを閉鎖させるためである。左右ゲート板１２，１３は回動軸１４を支点に回転する。
【００１３】  次に、図６に示すフローチャートを用いて動作についての説明を行なう。自動改札装置の通常待機時は、左ゲート板及び、右ゲート板は常に開の状態で保持されている。そして、通行人が認証機器にカードをかざすと、認証機器がカード内に記録されている認証情報を読み取り、カードの不適正や認証エラーと識別された場合は認証異常と判断し、予め設定された自動改札装置の左もしくは、右ゲート板６、７のどちらかのゲート板を片側のみ閉状態にさせる。認証で適正の場合は、ゲート板開放の状態を保持する。
以上の動作は双方向とも同じである。
【符号の説明】
【００１４】  １    自動改札装置
２    右装置壁
３    左装置壁
４    支点軸
５    進入路
５ａ  逆進入路
６    右ゲート
７    左ゲート
８    通行者
９    左装置壁
１０  右装置壁
１１  認証機器
１２  右ゲート板
１３  左ゲート板
１４  回動軸
【図１】
0003150814.tif 000003
【図２】
0003150814.tif 000004
【図３】
0003150814.tif 000005
【図４】
0003150814.tif 000006
【図５】
0003150814.tif 000007
【図６】
0003150814.tif 000008